(57)【要約】【課題】  測定テープを布や樹脂等の素材から形成している巻尺において、測定テープがケース内に引き込まれている時、測定テープ先端に設けたつまみ片が揺動することなく測定テープ出入口に係止できて、つまみ片を引っ掛けてしまうような不都合を生じにくく、かつ巻尺全体のデザイン性を向上できる巻尺を提供する。【解決手段】  磁気的に吸着しあう一対の係着手段のうちの第一の係着片３を測定テープ１先端に取り付けたつまみ片２に設けるとともに、第二の係着片６をケース４の測定テープ出入口５近傍のケース外周部に設けて、測定テープがケース内に収容されている時、前記係着片どうしの磁着によりつまみ片が測定テープ出入口近傍に着脱可能に固定されるように構成した。【選択図】  図１
0003143191.tif 000002
【実用新案登録請求の範囲】
【請求項１】
ケース内に、測定テープを周囲に巻き回し、この測定テープを巻き取り方向に付勢するための付勢手段を内装した回転ドラムを回転自在に支持する自動巻取り式の巻尺において、磁気的に吸着しあう一対の係着手段を構成する第一および第二の係着片のうちの第一の係着片を測定テープ先端に取り付けたつまみ片に設けるとともに、第二の係着片をケースの測定テープ出入口近傍のケース外周部に設けて、測定テープがケース内に収容されている時、前記係着片どうしの磁着によりつまみ片が測定テープ出入口近傍に着脱可能に固定されるように構成してなる巻尺。
【請求項２】
前記ケースの外周に切欠段部を設け、この切欠段部を構成する２つの面のうちの一方の面に前記テープ出入口を設けるとともに他方の面に前記第二の係着片を設け、かつ前記第一の係着片を、測定テープがケース内に収容されている時に前記つまみ片におけるケース外周面と対峙する側の面に設けてなる請求項１に記載の巻尺。
【請求項３】
前記第一の係着片を、前記つまみ片のケース外周面と対峙する側の面に形成した凹所内に設け、また、前記第二の係着片をケース側の前記他方の面から突出するように設け、前記係着片どうしを磁着させた際に、前記第二の係着片が前記凹所内に収まるように構成してなる請求項２に記載の巻尺。
【請求項４】
前記ケースの外周部に、さらに前記第一の係着片と磁着する第三の係着片を設けてなる請求項１に記載の巻尺。
【請求項５】
前記つまみ片自体を、前記第二の係着片と磁気的に吸着する前記第一の係着片として構成してなる請求項１に記載の巻尺。
【請求項６】
前記測定テープを、布や樹脂等の非金属製の素材で構成してなる請求項１に記載の巻尺。
【考案の詳細な説明】
【技術分野】
【０００１】
本考案は自動巻取り式の巻尺に関し、より詳しくは測定テープがケース内に収容されている時、測定テープ先端に設けたつまみ片をケースの測定テープ出入口近傍に固定できるようにした巻尺に関する。
【背景技術】
【０００２】
従来、測定テープをケースから引き出すための金属製でＬ字型のつまみ片（フック）を備える巻尺があり（例えば、特許文献１参照）、主として建築用に広く用いられているが、柔軟な素材よりなる測定テープを備える巻尺もあり、主として被服の裁縫用に広く用いられている。
【０００３】
上述した裁縫用の巻尺は、図７に示されるように、測定テープがケース内に収容されている時でも、このつまみ片８がケース９の測定テープ出入口１０から舌のように突出していて、測定テープが柔軟であるためにつまみ片が意図せずに揺動し、巻尺の使用時に誤ってつまみ片を引っ掛けて測定テープを引き出してしまったり、つまみ片が引っ掛かることによって裁縫用の生地を傷めてしまったりすることがある。
【０００４】
また裁縫用の巻尺は、衣服等の小売店においても客の着丈や首回り等の寸法を確認する際に広く用いられており、特に、高級衣服を扱っている小売店では商品イメージを低下させないよう店舗の装飾や小物類にもこだわりをもっていることが一般的であるため、この寸法確認用に用いる巻尺も例外ではなくデザイン的に優れたものが求められる。
【０００５】
したがって前述のように、測定テープがケース内に収容されている時、測定テープ出入口近傍に放置されたつまみ片がこの測定テープ出入口から舌のように突出した状態になって揺動するようなものは、ケースのデザインが幾ら優れていても、つまみ片の係止が中途半端な状態であるため、極めて体裁が悪く、巻尺のデザイン性を低下させ、ひいては小売店で扱う商品の品質イメージまでも損なうおそれがある。
【０００６】
【特許文献１】特開２００６−３２９８４９号公報（第１〜９頁、図２）
【考案の開示】
【考案が解決しようとする課題】
【０００７】
本考案は、測定テープがケース内に収容されている時、つまみ片が揺動することなく測定テープ出入口近傍に安定して係止できて、誤ってつまみ片を引っ掛けてしまうような従来の問題を生じにくくすることができ、しかも巻尺全体のデザインの自由度を向上させることのできる巻尺を提供できるようにした。
【課題を解決するための手段】
【０００８】
上述した課題を解決するために、本考案に係る巻尺は、ケース内に、測定テープを周囲に巻き回し、この測定テープを巻き取り方向に付勢するための付勢手段を内装した回転ドラムを回転自在に支持する自動巻取り式の巻尺において、磁気的に吸着しあう一対の係着手段を構成する第一および第二の係着片のうちの第一の係着片を測定テープ先端に取り付けたつまみ片に設けるとともに、第二の係着片をケースの測定テープ出入口近傍のケース外周部に設けて、測定テープがケース内に収容されている時、前記係着片どうしの磁着によりつまみ片が測定テープ出入口近傍に着脱可能に固定されるように構成したものとしてある。
【０００９】
また前記ケースの外周に切欠段部を設け、この切欠段部を構成する２つの面のうちの一方の面に前記テープ出入口を設けるとともに他方の面に前記第二の係着片を設け、かつ前記第一の係着片を、測定テープがケース内に収容されている時に前記つまみ片におけるケース外周面と対峙する側の面に設けてなるものとしてある。
【００１０】
さらに前記第一の係着片を、前記つまみ片のケース外周面と対峙する側の面に形成した凹所内に設け、また、前記第二の係着片をケース側の前記他方の面から突出するように設け、前記係着片どうしを磁着させた際に、前記第二の係着片が前記凹所内に収まるように構成したものとしてある。
【００１１】
また前記ケースの外周部に、さらに前記第一の係着片と磁着する第三の係着片を設けてなるものとしてある。
【００１２】
さらに前記つまみ片自体を、前記第二の係着片と磁気的に吸着する前記第一の係着片として構成したものとしてある。
【００１３】
また前記測定テープを、布や樹脂等の非金属製の素材で構成したものとしてある。
【考案の効果】
【００１４】
本考案の巻尺によれば、測定テープがケース内に収容されている非使用時に、つまみ片を磁着によって測定テープ出入口近傍に固定できるので、つまみ片が揺動せず、つまみ片を引っ掛けてしまうようなおそれを可及的小ならしめることができ、しかもつまみ片が固定されるので、測定テープ出入口近傍の外観をすっきりと見せることができ、巻尺のデザインの自由度を向上させることができる。
【００１５】
また、第二の係着片を前記ケース外周の切欠段部を設けたものでは、測定テープがケース内に収容された際に前記第一の係着片が前記他方の面に設けた第二の係着片にこれら係着片間の磁気的な吸引力によって自動的に磁着させることができる。
【考案を実施するための最良の形態】
【００１６】
以下、本考案に係る巻尺の実施例を添付図面に基づいて説明する。
本実施例の巻尺は、図１に示すように、布や樹脂等の柔軟性に富む素材で形成している測定テープ１の先端にテープ引き出し用のつまみ片２を取り付けてあり、またケース４の外周部に切欠段部を設けてあって、同段部を構成する２つの面のうちの一方の面に前記測定テープ１の出入口５を設けてある。
【００１７】
しかして、前記つまみ片２と、前記切欠段部を構成する他方の面、すなわちテープ出入口５を設けていない側の面には、磁気的に吸着しあう一対の係着手段を設けてある。
【００１８】
上記係着手段は、本実施例のものではマグネット３よりなる第一の係着片と、マグネットに磁着する金属プレート６よりなる第二の係着片とで構成されていて、マグネット３はつまみ片２に取り付けてあるとともに、金属プレート６は前記切欠段部を構成する他方の面に取り付けてあって、巻尺の非使用時、すなわち前記測定テープ１をケース４内に収容した際に、これらマグネット３と金属プレート６が対峙する位置関係となるように配設してある。
【００１９】
なお、前記切欠段部の他方の面は、測定テープ１を収容した状態で前記つまみ片２があまり段部から突出しない程度の大きさとするのが好ましい。
【００２０】
上述のように構成した本実施例の巻尺では、測定テープ１がケース４内に収容されて前記つまみ片２がケース４の測定テープ出入口５近傍に係止されると、図２に示すように、前記つまみ片２に設けたマグネット３がケース４の前記金属プレート６に磁気的に引き寄せられることによって自動的に磁着して、つまみ片２がケース４における切欠段部の前記他方の面に係止される。
【００２１】
したがって、例えば巻尺をポケットや道具箱から取り出す際に、つまみ片２がポケットの縁に引っ掛かって測定テープを引き出してしまったり、道具箱の中で保管している間に測定テープが意図せず引き出されて絡まり、柔軟性に富む素材で形成された測定テープ自体が折れ曲がったりして損なったりするような問題を生じにくくすることができる。
【００２２】
また、図３、４に示すように、ケース４の前記金属プレート６と磁着するマグネット３をつまみ片２のケース外周面と対峙する側の面に形成した凹所２ａ内に設ける場合もある。
【００２３】
このように構成すると、測定テープ１がケース４内に収容されてつまみ片２の凹所２ａ内に設けたマグネット３とケース４の前記金属プレート６が磁着した際、図５に示すように、つまみ片２がケース４の他方の面に突設した金属プレート６に覆い被さるので、つまみ片２を測定テープ出入口５にしっかりと係止することができる。
【００２４】
また、図６に示すように、ケース４の外周部にも前記つまみ片２に設けたマグネット３と磁着できる第三の係着片としての金属プレート６ａを設ける場合もある。
【００２５】
この図６の実施例のものでは、金属プレート６ａを測定テープ出入口５よりもテープ引き出し方向の後方に設けてあるので、ケース４から引き出した測定テープ１をリング状にして、前記つまみ片２に設けたマグネット３とケース４の外周部に設けた金属プレート６ａを磁着させることによって測定テープ１をリング状に保持できるので、例えば使用者が自分自身の胴回り等を測定する際も楽に使用することができる。
【００２６】
なお、この図６に示した実施例のものでは、第三の係着片である金属プレート６ａの取り付け部分を他の部分よりも若干陥凹させておき、つまみ片２が陥凹させた部分に安定して係着できるようにするのが好ましい。
【００２７】
ところで、図６中の符号７は、測定テープ１の先端に設けたつまみ片２に設けたマグネット３とケース４の外周部に設けた金属プレート６ａを磁着させて測定テープ１をリング状に保持させた際に、ケース４の測定テープ出入口５端と測定テープ１先端との距離を表示している補正用表示である。
【００２８】
図６の具体例では補正用表示７として「３ｃｍ」と表示してあり、この場合は測定テープ出入口５を基準とし、測定テープ出入口５に位置する測定テープ上の目盛から読み取られる数値に３ｃｍを加えたものが最終計測寸法であることを示す。
【００２９】
上述した各実施例のものでは、第一の係着片をマグネットで構成し、第二および第三の係着片を金属プレートで構成しているが、要は第一の係着片が、第二および第三の係着片に対して磁気的に吸着できればよく、したがって第一の係着片を金属プレートとして第二および第三の係着片をマグネットで構成する場合もあるし、全ての係着片をマグネットで構成する場合もある。
【００３０】
なお、第三の係着片をマグネットで構成した場合、この第三の係着片を用いてつまみ片２以外の、例えば磁気的吸着できるスチール製の机やボードに磁着して保管するというような使用時の利便性向上を図ることもできる。
【００３１】
また、前記第一の係着片をつまみ片２とは別部材にせず、つまみ片自体を、マグネット等の前記第二、第三の係着片と磁気的に吸着する素材のもので構成する場合もある。
【００３２】
また、本考案においては、第二、第三の係着片をケース４の外周部に設ける構成としてあるが、このケース外周部とは必ずしもこれら係着片の一部がケースの外観に現れるように設けなければならないということを指し示すのではなく、第二および第三の係着片は第一の係着片との間に磁気的吸引力、吸着力が及べば事が足りるので、ケース４の外周部の内壁面に設けたり、ケース外周部の壁面内に埋設したりする場合もある。
【図面の簡単な説明】
【００３３】
【図１】本考案に係る巻尺の一実施例を示す側面図。
【図２】測定テープを収容した状態の巻尺を示す側面図。
【図３】他の実施例におけるつまみ片の構成を示す一部破断拡大側面図。
【図４】図３のIV−IV線断面図。
【図５】他の実施例における測定テープを収容した状態を示す一部破断拡大側面図。
【図６】さらに他の実施例を示す側面図。
【図７】従来の巻尺の一具体例を示す斜視図。
【符号の説明】
【００３４】
１  測定テープ
２  つまみ片
２ａ  凹所
３  マグネット
４  ケース
５  測定テープ出入口
６  金属プレート
６ａ  金属プレート
７  補正用表示
【図１】
0003143191.tif 000003
【図２】
0003143191.tif 000004
【図３】
0003143191.tif 000005
【図４】
0003143191.tif 000006
【図５】
0003143191.tif 000007
【図６】
0003143191.tif 000008
【図７】
0003143191.tif 000009